(57)【要約】【課題】本発明の課題は、穀稈搬送供給装置による長稈作物に対する適応範囲を拡大し、脱穀能率の向上を図ることである。【解決手段】本発明は、分草後の穀稈を引起す引起し装置（９）に備えた引起しチェンの巻回域上部を、低部に備えた刈取横フレーム（１８）から立設した引起しパイプ（２２）内の引起し伝動軸の上端部から、前記引起しパイプ（２２）の上端部に備えた引起し駆動軸ケース（２３）内の伝動機構を介して連動される引起し駆動軸（２４）によって駆動する構成とし、刈取後の穀稈を搬送して脱穀装置（４）に供給する上下２段の穂先搬送チェン（１２）及び根元搬送チェン（１３）からなる穀稈搬送供給装置（１４）を備えたコンバインの刈取装置において、前記穀稈搬送供給装置（１４）は、その搬送始端側を前記引起し駆動軸ケース（２３）の近傍若しくはそれを越える位置まで上げ調節可能な構成としたことを特徴とするコンバインの刈取装置である。【選択図】図５
2019054782.tif 000002
【特許請求の範囲】
【請求項１】
分草後の穀稈を引起す引起し装置（９）に備えた引起しチェンの巻回域上部を、低部に備えた刈取横フレーム（１８）から立設した引起しパイプ（２２）内の引起し伝動軸の上端部から、前記引起しパイプ（２２）の上端部に備えた引起し駆動軸ケース（２３）内の伝動機構を介して連動される引起し駆動軸（２４）によって駆動する構成とし、刈取後の穀稈を搬送して脱穀装置（４）に供給する上下２段の穂先搬送チェン（１２）及び根元搬送チェン（１３）からなる穀稈搬送供給装置（１４）を備えたコンバインの刈取装置において、
前記穀稈搬送供給装置（１４）は、その搬送始端側を前記引起し駆動軸ケース（２３）の近傍若しくはそれを越える位置まで上げ調節可能な構成としたことを特徴とするコンバインの刈取装置。
【請求項２】
前記引起し駆動軸ケース（２３）のステー部に、前記穂先搬送チェン（１２）に備えた穂先搬送ラグ（１５）の先端移動軌跡に接近する側に位置する後方部ステー（２６）と前方部ステー（２７）を設け、前記後方部ステー（２６）を前方部ステー（２７）よりも外側に偏倚させて配置した請求項１記載のコンバインの刈取装置。
【請求項３】
前記引起しパイプ（２２）を、その上端側ほど刈取装置の内側に至るように正面視で左右方向に傾斜させ、この引起しパイプ（２２）の傾斜方向に対して、前記ステー部側に備えた取付部材（２８）を、その上端側ほど刈取装置の外側に至るように傾斜させた請求項２記載のコンバインの刈取装置。
【請求項４】
前記引起し駆動軸ケース（２３）と前記引起しパイプ（２２）とを連結する取付ステー（２９）の左右の立ち上り部（２９ａ，２９ｂ）のうち、前記穂先搬送ラグ（１５）の先端軌跡に接近する側の立ち上り部（２９ｂ）を、他方の立ち上り部（２９ａ）よりも短く形成した請求項３記載のコンバインの刈取装置。
【請求項５】
前記穀稈搬送供給装置（１４）の搬送始端部が、その上下調節範囲の下限位置から上限位置の間で上下移動するときに、前記穂先搬送ラグ（１５）の先端が引起し装置（９）の引起しラグ（２１）の上昇移動軌跡の後側の位置で上下移動する構成とした請求項４記載のコンバインの刈取装置。
【発明の詳細な説明】
【技術分野】
【０００１】
この発明は、コンバインの刈取装置に関する。
【背景技術】
【０００２】
従来のコンバインは、刈取装置から脱穀装置に搬送供給される刈取穀稈の長短に応じて搬送供給装置の始端側を上下に調節し、扱ぎ深さを適正範囲に調節するように構成されている（例えば、特許文献１に開示された図７の根元・穂先移送装置１４ａ・１４ｂ参照）。
【先行技術文献】
【特許文献】
【０００３】
【特許文献１】特許第４５４８３３０号公報
【発明の概要】
【発明が解決しようとする課題】
【０００４】
ところが、搬送供給装置の穂先搬送ラグと引起し駆動軸ケースが干渉し、搬送供給装置の始端部が引起し駆動軸ケースよりも上方部にまで上げ調節できず、扱ぎ深さの調節範囲が狭くなる問題があった。
【０００５】
本発明は、上記従来のコンバインのこの様な課題に鑑みて、搬送供給装置の始端部を引起し駆動軸ケースの近傍若しくはそれを越える位置まで上げ調節可能とすることで、長稈作物に対する適応範囲を拡大し、脱穀能率の向上を図ることを目的とする。
【課題を解決するための手段】
【０００６】
この発明は、上記課題を解決すべく次のような技術的手段を講じた。
【０００７】
すなわち、請求項１記載の本発明は、分草後の穀稈を引起す引起し装置（９）に備えた引起しチェンの巻回域上部を、低部に備えた刈取横フレーム（１８）から立設した引起しパイプ（２２）内の引起し伝動軸の上端部から、前記引起しパイプ（２２）の上端部に備えた引起し駆動軸ケース（２３）内の伝動機構を介して連動される引起し駆動軸（２４）によって駆動する構成とし、刈取後の穀稈を搬送して脱穀装置（４）に供給する上下２段の穂先搬送チェン（１２）及び根元搬送チェン（１３）からなる穀稈搬送供給装置（１４）を備えたコンバインの刈取装置において、
前記穀稈搬送供給装置（１４）は、その搬送始端側を前記引起し駆動軸ケース（２３）の近傍若しくはそれを越える位置まで上げ調節可能な構成としたことを特徴とするコンバインの刈取装置である。
【０００８】
請求項２記載の本発明は、前記引起し駆動軸ケース（２３）のステー部に、前記穂先搬送チェン（１２）に備えた穂先搬送ラグ（１５）の先端移動軌跡に接近する側に位置する後方部ステー（２６）と前方部ステー（２７）を設け、前記後方部ステー（２６）を前方部ステー（２７）よりも外側に偏倚させて配置した請求項１記載のコンバインの刈取装置である。
【０００９】
請求項３記載の本発明は、前記引起しパイプ（２２）を、その上端側ほど刈取装置の内側に至るように正面視で左右方向に傾斜させ、この引起しパイプ（２２）の傾斜方向に対して、前記ステー部側に備えた取付部材（２８）を、その上端側ほど刈取装置の外側に至るように傾斜させた請求項２記載のコンバインの刈取装置である。
【００１０】
請求項４記載の本発明は、前記引起し駆動軸ケース（２３）と前記引起しパイプ（２２）とを連結する取付ステー（２９）の左右の立ち上り部（２９ａ，２９ｂ）のうち、前記穂先搬送ラグ（１５）の先端軌跡に接近する側の立ち上り部（２９ｂ）を、他方の立ち上り部（２９ａ）よりも短く形成した請求項３記載のコンバインの刈取装置である。
【００１１】
請求項５記載の本発明は、前記穀稈搬送供給装置（１４）の搬送始端部が、その上下調節範囲の下限位置から上限位置の間で上下移動するときに、前記穂先搬送ラグ（１５）の先端が引起し装置（９）の引起しラグ（２１）の上昇移動軌跡の後側の位置で上下移動する構成とした請求項４記載のコンバインの刈取装置である。
【発明の効果】
【００１２】
請求項１記載の発明によれば、穀稈搬送供給装置の始端側は、引起し駆動軸ケースの近傍位置若しくはそれを越える位置まで上げ調節することができるので、刈取穀稈の長短に対する適応範囲が広くなり、超長稈であっても脱穀装置に適正な供給深さで供給でき、稈切れや藁屑の発生を抑制して脱穀能率を高めることができる。
【００１３】
請求項２記載の発明によれば、請求項１記載の発明の効果に加えて、後方部ステー２６を前方部ステー２７よりも外側に偏倚させて配置してあるので、穂先搬送ラグ１５の先端移動軌跡との隙間が確保され、穀稈搬送供給装置１４の搬送始端部を高く上げ調節できる。
【００１４】
請求項３記載の発明によれば、請求項２記載の発明の効果に加えて、引起しパイプ２２を、その上端側ほど刈取装置の内側に至るように正面視で左右方向に傾斜させ、この引起しパイプ（２２）の傾斜方向に対して、ステー部側に備えた取付部材２８を、その上端側ほど刈取装置の外側に至るように傾斜させたので、穀稈搬送供給装置１４の上方への移動範囲が大きくなり、穂先搬送ラグ１５との干渉もなく、スムーズに上げ調節することができる。
【００１５】
請求項４記載の発明によれば、請求項３記載の発明の効果に加えて、引起し駆動軸ケース２３と引起しパイプ２２とを連結する取付ステー２９の左右の立ち上り部２９ａ，２９ｂのうち、穂先搬送ラグ１５の先端軌跡に接近する側の立ち上り部２９ｂを、他方の立ち上り部２９ａよりも短く形成したので、穀稈搬送供給装置１４を大きく上げ調節しても穂先搬送ラグ１５の干渉がなく、スムーズに上げ調節することができる。
【００１６】
請求項５記載の発明によれば、請求項４記載の発明の効果に加えて、穀稈搬送供給装置１４を上限位置まで上げても、穂先搬送ラグ１５の先端部は引起しラグ２１の上昇移動軌跡の後側の位置で上下移動するので、引起し後の穀稈の引継ぎを良好に行い得る。
【図面の簡単な説明】
【００１７】
【図１】コンバインの正面図
【図２】コンバインの平面図
【図３】コンバインの側面図
【図４】刈取部の要部の正面図
【図５】刈取部の要部の側面図
【図６】刈取部の要部の平面図
【図７】刈取部の要部の斜視図
【図８】刈取部の要部の斜視図
【図９】ステー形状の斜視図
【図１０】刈取台車の側面図
【図１１】刈取部と刈取上下シリンダの着脱状態を示す要部の平面図
【図１２】同上要部の平面図
【図１３】同上要部の側面図
【発明を実施するための形態】
【００１８】
この発明の実施例を図面に基づき説明する。
【００１９】
図１〜図３は、コンバインの構成例を示すものであり、この走行車体１には、左右一対の走行クローラ２，２を備え、後部に搭載した脱穀装置４の前方に刈取装置３を設置し、刈取装置３の横側部には運転席５や操作ボックス６等の運転操作部を備え、更に、その運転操作部の後方には脱穀した穀粒を一時的に貯留するグレンタンク７を装備している。
【００２０】
刈取装置３は、圃場に植立する穀稈を左右に分草する分草具８，８…、分草後の穀稈を引き起す穀稈引起し装置９…、引起し後の穀稈を切断するバリカン式の刈刃装置１０、刈取後の穀稈を掻込搬送する掻込搬送装置１１、掻込搬送後の穀稈を引き継いで揚上搬送し後方の脱穀装置４の脱穀フィードチェン１６に搬送供給する上下２段の穂先搬送チェン１２及び根元搬送チェン１３からなる穀稈搬送供給装置１４等から構成する。この刈取装置４は、走行車体１の前部に左右方向に架設する刈取入力軸を支点として上下に昇降可能とし、前後方向に設けた刈取縦フレーム１７の先端部に左右横方向に設けた刈取横フレーム１８に、上述の各装置を装備している。刈取縦フレーム１７内には刈取縦伝動軸を内装し、この刈取縦伝動軸の先端部から刈取横フレーム１８内の刈取横伝動軸を連動して駆動する構成としている。
【００２１】
穀稈搬送供給装置１４は、搬送始端側から搬送終端後部側に至るほど高くなるように傾斜し、送終端部側を支点として搬送始端側が上下移動し、穀稈の長短に応じてこの上下移動を調節するようになっており、脱穀装置への適正な供給深さに調整できる構成としている。
【００２２】
分草８は刈取横フレーム１８側から前方に突設する分草支持フレーム１９に支持されている。また、分草具８は、左右の左分草具８Ｌ、右分草具８Ｒと中分草具８Ｃからなり、右分草具８Ｒと中分草具８Ｃの間隔は、中分草具８Ｃと左分草具８Ｌの間隔よりも広くなっており、２条の穀稈でも分草して導入できるようになっている。
【００２３】
引起し装置９は、前後の引起しケース２０と、この引起しケース２０内に内装される引起しラグ２１付きの引起しチェンを、上部の駆動スプロケットと、下部の従動輪体とに巻回し、刈取横フレーム１８の左右端部から立設する引起しパイプ２２内の引起し伝動軸から、引起し駆動軸ケース２３内の伝動機構を介して連動される引起し駆動軸２４によって、引起しチェンの上部駆動スプロケットを回転駆動する構成としている。
【００２４】
穀稈搬送供給装置１４は、穂先搬送チェン１２に取付けられた多数の穂先搬送ラグ１５の先端移動軌跡Ｋの始端側が引起し駆動軸ケース２３の近傍若しくはそれを越える位置まで上げ調節できるように構成している（図５参照）。これによると、非常に長い穀稈であても対処でき、調節範囲が大きくとれて扱ぎ深さ調節の性能を高めることができ、穂先が扱室に入り過ぎるために生じる多量の藁屑の発生や、扱歯の作用による穂先の千切れを防止することができる。
【００２５】
また、穀稈搬送供給装置１４を引起し駆動軸ケース２３の位置を越える高さまで上げ調節しても、穂先搬送ラグ１５の先端部が常に引起しラグ２１の上昇移動軌跡（引起し経路）よりも後側で作用するようにすることで、引起し後の穀稈の引継ぎが確実、良好に行える。
【００２６】
なお、穀稈搬送供給装置１４の搬送始端部を常に引起し経路の後側に沿って上げ調節する場合、後部の上下回動支点部を後退させながら上動させるように構成すると、常時、引起し経路の後側に沿って移動することになり、なお効果的である。
【００２７】
引起しケース２０と連結する引起し駆動軸ケース２３のステー部にあっては、図７に示すように、穂先搬送ラグ１５側に位置する後方部ステー２６が前方部ステー２７より外側に偏倚して配置されることで、穂先搬送ラグ１５側の後方部ステー２６が前方部ステー２７よりも外側に位置するため、穂先搬送ラグ１５の先端移動軌跡Ｋとの隙間が確保され、穀稈搬送供給装置１４の大幅な上げ調節が可能となる。
【００２８】
なお、引起し駆動軸ケース２３の穂先搬送ラグ１５側のステーは、進行方向に対し後方部に配置するほど平面視において機体外側に位置し、また、進行方向に対し、上方部に配置するほど平面視において機体外側に配置する構成とすることでも穀稈搬送供給装置１４の大幅な上げ調節が可能となる。
【００２９】
また、正面視において、図４に示すように、左右方向に傾斜した引起しパイプ２２，２２の中心線Ｙに対してステー部の取付部材２８が上端側ほど外側に傾斜するよう構成することで、搬送供給装置１４の穂先搬送ラグ１５がこの取付部材２８に干渉することがなくなり、上方への上げ調節が容易になる。
【００３０】
図４に示す正面視において、穀稈搬送供給装置１４の進行方向の傾きが右側後方に高くなる構成であり、そして、左側引起し駆動軸ケース２３Ｌの傾きが右側引起し駆動軸ケース２３Ｒの傾きよりも水平面に対し鋭角に構成している。更に、正面視において、引起し駆動軸２４の中心線が、分草具８Ｒよりも右側若しくは同等位置に配置することで、穂先搬送ラグ１５の先端位置と右側引起し駆動軸ケース２３Ｒとの距離を確保している。
【００３１】
引起し駆動軸ケース２３と引起しパイプ２２とを連結する取付ステー２９の形状は、正面視で凹型で左右の立ち上り部２９ａ，２９ｂのうち穂先搬送ラグ１５側、つまり、立ち上がり部２９ｂ側が短くなるようカットしてあるので、穀稈搬送供給装置１４を上方に大きく上げても穂先搬送ラグ１５の干渉がなく、スムーズに上げ下げすることがでる。なお、図９において、３０は引き起しパイプ２２への挿通孔、３１は取付孔を示す。
【００３２】
次に、図１０に示す実施例について説明する。
【００３３】
コンバインから取り外した刈取装置３を載せる刈取台車において、車輪３４を架設するメイン台車３５にこれを補助する補助車輪３６付サブ台車３７を設ける構成としている。メイン台車３５とサブ台車３７は連結パイプ３８で連結している。
【００３４】
連結パイプ３８は、メイン台車３５側に保管することができるようになっている。
【００３５】
メンテナンスを行うため、刈取装置３をコンバイン側から取り外し、刈取台車上に載せて移動させることができる。
【００３６】
図１１に示す実施例は、刈取上下シリンダ４０を取り外して刈取装置３をオープンする構成のコンバインにおいて、シリンダ取付部に取付ピン４１を設け、取付ピンに固定用プレート４２と取っ手部４３を設ける構成としている。そして、刈取装置３側のシリンダ取付用部材４４のピン挿入穴４５に切欠き部４６を設けることで、シリンダの取付位置合わせが容易になる。また、シリンダ取付用部材４４の下側にシリンダ取付位置へ誘導するガイド板４７を設けることで、シリンダ取付時には、シリンダを伸ばすだけでガイド板に沿って取り付け位置を合わせることが容易にできる。
【符号の説明】
【００３７】
３     刈取装置
４      脱穀装置
９     引起し装置
１２      穂先搬送チェン
１３      根元搬送チェン
１４      穀稈搬送供給装置
１５      穂先搬送ラグ
１８      刈取横フレーム
２０      引起しケース
２１      引起しラグ
２２      引起しパイプ
２３      引起し駆動軸ケース
２４      引起し駆動軸
２６      後方部ステー
２７      前方部ステー
２８      取付部材
２９      取付ステー
２９ａ    立ち上がり部
２９ｂ    立ち上がり部
【図１】
2019054782.tif 000003
【図２】
2019054782.tif 000004
【図３】
2019054782.tif 000005
【図４】
2019054782.tif 000006
【図５】
2019054782.tif 000007
【図６】
2019054782.tif 000008
【図７】
2019054782.tif 000009
【図８】
2019054782.tif 000010
【図９】
2019054782.tif 000011
【図１０】
2019054782.tif 000012
【図１１】
2019054782.tif 000013
【図１２】
2019054782.tif 000014
【図１３】
2019054782.tif 000015